(57)【要約】  シールされたファイバ配線エンクロージャユニット（２２）を備えた地下のユーティリティエンクロージャ組立体は、グレードレベルボックス（２４）と、グレードレベルボックス（２４）にマウントされる取外し可能なカバー（２６、２８）とを含む。カバーは、グレードレベルボックスの内部へのアクセスを提供する取外し可能なプラグ（３２）を含む。カバー内の取り外されたプラグ領域によって、グレードレベルボックス内に収容されたユーティリティケーブルへのアクセスと、開いたプラグ領域にマウントされるシールされたファイバ配線エンクロージャユニットの内部へのアクセスとが可能となる。エンクロージャの底部は、開いたプラグ領域に取外し可能に取り付けられる硬質の下方ベースフレーム部分（４２）と、ベースフレーム組立体を通過するケーブル開口に固着された地上の下方ベースリング（５４）とを含む。シールされたファイバ配線エンクロージャユニットは、アクティブケーブルが乱されない状態で、グレードレベルボックス上でユニットとしてカバーから取り外され、地上の光ファイバケーブルスプライスを形成するための作業場に移動せしめられうる。その後、シールされたファイバ配線エンクロージャユニットは、アクティブケーブルが乱されない状態で、カバープレート内に再設置されうる。
2013525844.tif 000002
【特許請求の範囲】
【請求項１】
ファイバ配線エンクロージャユニットであって、
グレードレベルボックス（２４）のカバープレート（２６）内のプラグ開口（３０）から取り外された後、遠隔の光ファイバケーブルスプライスを形成するようになっており、前記グレードレベルボックス（２４）のカバープレートが、該グレードレベルボックス（２４）内に弛んだ状態で保管された地下の光ファイバケーブル（７１）へのアクセスを提供し、
当該ファイバ配線エンクロージャユニットが、
前記プラグ開口内にユニットとして取外し可能に配置可能なベースフレーム組立体（４１）であって、
（１）前記プラグ開口内にプラグとして取外し可能に収まる、適合した外形を有する下方ベースフレーム部分（４２）であって、前記カバープレート内のプラグ開口と整列するようになっているケーブル開口（４４）を中に有し、且つ、前記プラグ開口からの取外しのために該下方ベースフレーム部分をロック解除し且つ前記プラグ開口内に該下方ベースフレーム部分をスナップロックするように構成された該下方ベースフレーム部分上の屈曲可能なクリップ（４６、４８）を有する下方ベースフレーム部分（４２）と、
（２）該下方ベースフレーム部分に堅く固着された地上の下方ベース構造体（５４）であって、前記ケーブル開口を囲む壁構造を形成すべく、前記下方ベースフレーム部分内のケーブル開口の上に配置された直立カラーを具備する地上の下方ベース構造体（５４）と、
（３）該下方ベース構造体の上部に堅く固着されたベースプレート（６２）であって、該ベースプレートの下の前記カラーの内側に内部中空の内部領域を形成すべく前記ケーブル開口の上に離間されたベースプレート（６２）と、
（４）前記グレードレベルボックスから前記下方ベースフレーム部分内のケーブル開口を通って進むアクティブ光ファイバケーブルのシールされた通路を提供するための前記ベースプレート内の複数のシールされた開口（６３、７３）と
を具備するベースフレーム組立体（４１）と、
前記ケーブル開口の反対側で前記ベースプレートに取外し可能に繋止された硬質の直立支持棒（６４）と、
前記アクティブケーブルのうちの選択されたアクティブケーブル内に収容された光ファイバを結合することを容易にすべく前記直立支持棒上に保持された光ファイバスプライシング装置（７０）と、
前記アクティブケーブル及び光ファイバスプライシング装置を収容すべく、前記ベースプレートの上にシールされた内部領域を提供するために、前記下方ベース構造体に取外し可能に固定されるようになっている外側カバー（５０）と
を具備し、
前記下方ベースフレーム部分は、前記グレードレベルボックスにおける弛んだ状態から前記下方ベース構造体を通って前記光ファイバスプライシング装置へ進む前記アクティブケーブルに対して地上の光ファイバスプライス接続を形成するのに使用される遠隔の作業場へ前記ベースフレーム組立体及び光ファイバスプライシング装置を搬送することを容易にすべく、前記プラグ開口から前記ベースフレーム組立体をユニットとして取り外すのに使用されるために、前記アクティブ光ファイバケーブルが乱されない状態で前記プラグ開口内の該下方ベースフレーム部分の位置からロック解除されるようになっており、
前記ベースフレーム組立体及び光ファイバスプライシング装置は、前記アクティブケーブルが乱されない状態で、ユニットとして前記作業場から離れるように搬送されて、前記カバープレート内のプラグ開口内に前記ベースフレーム組立体の下方ベースフレーム部分をスナップロックすることによって前記プラグ開口内に再配置されるようになっている、ファイバ配線エンクロージャユニット。
【請求項２】
前記下方ベース構造体（５４）が、前記下方ベースフレーム部分内のケーブル開口（４４）へのアクセスと前記ベースプレート（６２）内のシールされた開口（６３、７３）へのアクセスを提供すべく、前記ケーブル開口（４４）の上に且つ前記ベースプレート（６２）の下に位置するアクセス扉（５８）を含む、請求項１に記載のファイバ配線エンクロージャユニット。
【請求項３】
前記ベースプレート（６２）内の前記シールされた開口（６３、７３）が、メイン配線ケーブル及びより小さなサイズの光ファイバケーブルを含む光ファイバケーブル（７１）をシールするようになっている、請求項１に記載のファイバ配線エンクロージャユニット。
【請求項４】
前記下方ベースフレーム部分（４２）が一体型のユニットである、請求項１に記載のファイバ配線エンクロージャユニット。
【請求項５】
前記ベースプレート（６２）が、前記支持棒（６４）を取外し可能に受容するためのソケット（６８）を含む、請求項１に記載のファイバ配線エンクロージャユニット。
【請求項６】
前記ベースプレート（６２）内のシールされた開口が、より大きな直径のメイン配線ケーブルのためのシール（６３）と、分岐ケーブルのための中間サイズのシール（７２）と、光ファイバケーブルのためのより小さな直径の複数のシール（７３）とを含む、請求項１に記載のファイバ配線エンクロージャユニット。
【請求項７】
遠隔の光ファイバケーブルスプライスを形成するようになっている地下のユーティリティエンクロージャ組立体であって、
弛んだ状態で保管された地下の光ファイバケーブル（７１）を収容するグレードレベルボックス（２４）と、
該グレードレベルボックス上のカバープレート（２６）であって、該カバープレートの一部がプラグ開口（３０）を含む、カバープレート（２６）と、
前記プラグ開口に取外し可能にマウントされた、請求項１に記載のファイバ配線エンクロージャユニットと
を具備する、地下のユーティリティエンクロージャ組立体。
【請求項８】
前記カバープレート（２６、２８）が分割カバープレートである、請求項７に記載の組立体。
【請求項９】
前記光ファイバケーブル（７１）が、前記光ファイバスプライシング装置（７０）において両方が共にスプライスされたメイン配線ケーブル及びより小さなサイズの光ファイバケーブルを含む、請求項７に記載の組立体。
【請求項１０】
前記下方ベース構造体（５４）が、前記下方ベースフレーム部分内のケーブル開口へのアクセスと前記ベースプレート内のシールされた開口（６３、７３）へのアクセスとを提供すべく、前記ケーブル開口（４４）の上に且つ前記ベースプレート（６２）の下に位置するアクセス扉（５８）を含む、請求項７に記載の組立体。
【請求項１１】
前記下方ベースフレーム部分（４２）が一体型のユニットである、請求項７に記載の組立体。
【請求項１２】
前記ベースプレート（６２）が、前記支持棒（６４）を取外し可能に受容するためのソケット（６８）を含む、請求項７に記載の組立体。
【請求項１３】
前記ベースプレート（６２）内のシールされた開口が、より大きな直径のメイン配線ケーブルのためのシール（６３）と、分岐ケーブルのための中間サイズのシール（７２）と、光ファイバケーブルのためのより小さな直径の複数のシール（７３）とを含む、請求項７に記載の組立体。
【請求項１４】
地下のユーティリティエンクロージャ組立体において遠隔の光ファイバケーブルスプライスを形成するための方法であって、
前記地下のユーティリティエンクロージャ組立体が、
弛んだ状態で保管された地下の光ファイバケーブル（７１）を収容するグレードレベルボックス（２４）と、
該グレードレベルボックス上の取外し可能なカバープレート（２６）であって、該グレードレベルボックス上のカバープレートの一部が、前記グレードレベルボックスの上に牽引面の一部を形成するための取外し可能なプラグ（３２）を受容するようになっているプラグ開口（３０）を含み、該プラグ開口が、そこから前記プラグが取り外された状態で、前記グレードレベルボックス内に収容された前記ケーブルへのアクセスを提供する、カバープレート（２６）と
を具備し、
当該方法が、
前記プラグ開口内にユニットとして取外し可能に配置可能なベースフレーム組立体（４１）を提供するステップであって、
該ベースフレーム組立体（４１）が、
（１）前記プラグ開口内にプラグとして取外し可能に収まる、適合した外形を有する下方ベースフレーム部分（４２）であって、前記カバープレート内のプラグ開口と整列するようになっているケーブル開口（４４）を中に有し、且つ、前記プラグ開口から該下方ベースフレーム部分をロック解除し且つ前記プラグ開口内に該下方ベースフレーム部分をスナップロックする該下方ベースフレーム部分上の屈曲可能なクリップ（４６、４８）を有する下方ベースフレーム部分（４２）と、
（２）該下方ベースフレーム部分に堅く固着された地上の下方ベース構造体（５４）であって、前記ケーブル開口を囲む壁構造を形成すべく、前記下方ベースフレーム部分内のケーブル開口の上に配置された直立カラーを具備する地上の下方ベース構造体（５４）と、
（３）該下方ベース構造体の上部に堅く固着されたベースプレート（６２）であって、該ベースプレートの下の前記カラーの内側に内部中空の内部領域を形成すべく前記ケーブル開口の上に離間されたベースプレート（６２）と、
（４）前記グレードレベルボックスから前記下方ベースフレーム部分内のケーブル開口を通って進むアクティブ光ファイバケーブルのシールされた通路を提供する、前記ベースプレート内の複数のシールされた開口（６３、７３）と
を具備する、ステップと、
前記ケーブル開口の反対側で前記ベースプレートに取外し可能に繋止された硬質の直立支持棒（６４）を提供するステップと、
前記アクティブ光ファイバケーブルのうちの選択されたアクティブ光ファイバケーブルの光ファイバを結合することを容易にすべく、前記直立支持棒に光ファイバスプライシング装置（７０）を繋止するステップと、
前記アクティブケーブル及び光ファイバスプライシング装置を収容すべく、前記ベースプレートの上にシールされた内部領域を提供するために、前記下方ベース構造体に外側カバー（５０）を取外し可能に固定するステップと、
前記プラグ開口から前記下方ベースフレーム部分を取り外し、前記ベースフレーム組立体を前記プラグ開口内のその位置からユニットとして取り外し、前記アクティブ光ファイバケーブルが乱されない状態で、前記組立体及び光ファイバスプライシング装置を遠隔の作業場に搬送し、該遠隔の作業場において、前記グレードレベルボックス内の弛んだ状態から前記下方ベース構造体を通って前記光ファイバスプライシング装置へ進む前記アクティブケーブルに対して地上の光ファイバスプライス接続を形成するステップと、
その後、前記アクティブケーブルが乱されない状態で、前記ベースフレーム組立体及び光ファイバスプライシング装置を前記作業場から離れるように搬送し、前記カバープレート内のプラグ開口内に前記ベースフレーム組立体の下方ベースフレーム部分をスナップロックすることによって前記カバープレートに前記ベースフレーム組立体を取外し可能に繋止するステップと
を含む、方法。
【請求項１５】
前記光ファイバスプライシング装置（７０）が一つ以上のファイバ・スプライス・トレイを具備する、請求項１４に記載の方法。
【請求項１６】
前記カバープレート（２６）の少なくとも一部が地表面において牽引面を有する、請求項１４に記載の方法。
【請求項１７】
前記ベースプレート（６２）内のシールされた開口が、より大きな直径のメイン配線ケーブルのためのシール（６３）と、分岐ケーブルのための中間サイズのシール（７２）と、光ファイバケーブルのためのより小さな直径の複数のシール（７３）とを含む、請求項１４に記載の方法。
【発明の詳細な説明】
【技術分野】
【０００１】
本発明は、地上のユーティリティエンクロージャ内に収容された配線組立体に対して行われる中継及びケーブルスプライスのために地上に持ってこられる地下のユーティリティケーブルのためのエンクロージャシステムに関する。ユーティリティケーブルを収容するグレードレベルボックス（grade level box）への接続からユーティリティ配線組立体を取り外すことなく、定期的なネットワーク、メンテナンス、及び顧客サービスの中継を行うことができることが多い。これらケーブルは別個の光ファイバケーブルを含むことができ、別個の光ファイバケーブルは、これらの光特性によって、従来技術の金属線ケーブルのスプライスと比較されるとき、スプライス接続の形成においてより複雑である。
【背景技術】
【０００２】
本発明の一つの実施形態では、定期的な中継及び地表面におけるサービス接続を形成するのによく適したファイバ配線エンクロージャが提供され、さらに、ケーブルが取り付けられた状態で、シールされた配線エンクロージャの移動を可能とすることによって、より複雑なファイバスプライスをより効率的に形成することを容易にする改良されたファイバ配線システムも提供されうる。
【発明の概要】
【０００３】
簡潔に言えば、本発明の一つの実施形態は地下のグレードレベルボックスを具備し、地下のグレードレベルボックスは、ファイバ配線組立体及び取外し可能なシールされた外側カバーを収容する地上の台座型ファイバ配線エンクロージャを有する。２ピースの分割カバープレートがグレードレベルボックスの頂部に取外し可能にマウントされる。分割カバープレートの一部における取外し可能なプラグがカバープレート部分内のプラグ開口に取り付けられる。プラグを取り外すことによって、グレードレベルボックス内に収容された地下のユーティリティケーブルへのアクセスのためにプラグ開口が露出される。プラグ開口は、シールされた地上のファイバ配線エンクロージャユニットのためのマウントベースも提供し、シールされた地上のファイバ配線エンクロージャユニットは、プラグ開口に取外し可能に取り付けられる硬質のベースフレーム組立体を含む。ベースフレーム組立体はファイバ配線エンクロージャユニットの下方部分を具備する。ベースフレーム組立体は直立のファイバ配線エンクロージャ組立体を支持し、直立のファイバ配線エンクロージャ組立体は、硬質のマウントフレームと、マウントフレームに繋止された一つ以上の光ファイバ・スプライス・トレイとを含む。ベースフレーム組立体は、さらに、メインユーティリティケーブル及び複数の光ファイバケーブルを、シールされたファイバ配線エンクロージャの内部にグレードレベルボックスの内側から通すための別個のシールされた穴も含む。シールされたファイバ配線エンクロージャユニットは、アクティブケーブルが乱されない状態で、カバープレート内のプラグ開口から取り外されることができ、ユニット全体は、地上の光ファイバケーブルスプライスの形成又は修正のために遠隔地に移動せしめられうる。その後、グレードレベルボックスのカバープレート内のプラグ開口にベースフレーム組立体を取り付けることによって、ファイバ配線組立体は、その新しくスプライスされた接触部を有して、アクティブケーブルが乱されない状態で、再設置されることができる。
【０００４】
本発明のこれら及び他の態様が、以下の詳細な説明及び添付の図面を参照することによって、より完全に理解されるであろう。
【図面の簡単な説明】
【０００５】
【図１】図１は、グレードレベルボックスと蓋又はカバープレートとを示す斜視図であり、蓋又はカバープレートは、一つの実施形態では、プレート部分のうちの一つがアクセス開口を有する分割カバープレートを具備する。
【図２】図２は、グレードレベルボックスの上のアクセス開口内にスナップロックされるようになっているプラグベース内に組み立てられたファイバ配線エンクロージャを示す斜視図である。
【図３】図３は、分割カバープレートの実施形態の二つの部分と、台座形のエンクロージャがない場合に平らな牽引面（traction surface）を提供すべくアクセス開口内にスナップロックされる取外し可能なプラグとを示す斜視図である。
【図４】図４は、分割カバープレートの一方の側における台座マウント部分及びアクセス開口の詳細な形態を示す斜視図である。
【図５Ａ】図５Ａは、台座型エンクロージャを受容するためのベースフレーム組立体の一部を提供すべくアクセス開口内にスナップロックされる硬質の下方ベースフレームを示す斜視図である。
【図５Ｂ】図５Ｂは、ベースフレーム内の開口に固着された下方ベースリングを具備する硬質のベースフレーム組立体を示す斜視図である。
【図６】図６は、カバーが取り外された状態のファイバ配線エンクロージャの内部を示す斜視図であり、内部ベース組立体の上にマウントされたファイバ・スプライス・トレイのための支持ブラケットを示し、内部ベース組立体はファイバ・スプライス・トレイへの接続のためにメインケーブル及び光ファイバケーブルを受容する。
【図７】図７は、図６と同様の斜視図であるが、台座内部ベース構造体内にグロメットを収容するファイバアクセス開口へのアクセスを提供するために扉が取り外された状態の内部ベースを示す。
【図８】図８は、光ファイバケーブルの設置に備えた台座ベースを示す拡大斜視図である。
【図９】図９は、図８に示された組立体の後側を示す斜視図である。
【図１０】図１０は、グレードレベルボックス内のアクセス開口から取り外された、アクティブケーブルが取り付けられた状態のシールされたファイバ配線エンクロージャユニットを示す斜視図である。
【図１１】図１１は、一方の分割カバープレートの下側に収容されたセルフラッチングロック（self-latching lock）を示す斜視図である。
【発明を実施するための形態】
【０００６】
図１〜図４を参照すると、本発明は、地上のシールされた台座型ファイバ配線エンクロージャユニット２２内に収容された地上のファイバ配線組立体を有する地下のユーティリティエンクロージャ２０を提供する。本発明は基本的に、光ファイバケーブルを含みうる地下のユーティリティケーブルを収容するグレードレベルボックス２４に適合されている。一つの実施形態では、グレードレベルボックスは取外し可能な分割カバープレートを有し、分割カバープレートは、ボックスの頂部にマウントされる２ピースの蓋を具備する。分割カバープレートは台座マウント部分２６及び分離カバー部分２８を有する。二つの部分は、通常グレードレベルボックスの上に平らな牽引面を提供すべく連結される。
【０００７】
分割カバープレートの台座部分は、台座部分の（プラグ開口とも称される）アクセス開口３０の上に、シールされたファイバ配線エンクロージャユニット２２をマウントする。エンクロージャユニット２２は、地下のユーティリティケーブルがアクセス開口を通ってエンクロージャ内の地上に持ってこられると、地下のユーティリティケーブルを保護する。
【０００８】
分割カバープレートの台座マウント部分２６は取外し可能なプラグ３２も含み、取外し可能なプラグ３２は、一つの実施形態では、カバープレートの台座部分２６の（プラグ開口とも称される）アクセス開口内にスナップロックされる。プラグは、台座エンクロージャがグレードレベルボックスの上に配置されないときに地表面において平らな牽引面を提供すべく所定の位置に保たれる。
【０００９】
グレードレベルボックス２０は、地下の電気ユーティリティケーブルを収容するための中空の内部領域を有する。一つの実施形態では、グレードレベルボックスは、以下に述べる方法によって地上の台座エンクロージャにおいてスプライス接続を形成するのに使用される、細長いメインケーブルと、光ファイバケーブルとを保管する。メインケーブル及び光ファイバケーブルは、これらの地下の配置から離れて遠隔配置の作業場へ延びることができるように、大量の弛み部分を有する。
【００１０】
一つの実施形態では、アクセス開口３０は、開口の両端部に異なる外形のノッチ領域３４、３６を含む。取外し可能なプラグ３２の両端部は、アクセス開口３０内のノッチ領域３４、３６の形態に適合するように形成された外側に突出する屈曲可能なクリップ３８、４０を有する。グレードレベルボックス２４上の連続的且つ平らなグレードレベル牽引面を形成すべく、クリップによって、プラグ３２の端部はアクセス開口の対応するノッチ領域にスナップロックされる。アクセス開口を開くべくプラグを取り外すのに、特別な工具を使用することができる。最初にグレードレベルボックスの頂部からカバープレート部分２８を取り外すことによって提供されるアクセスを介してプラグ３２を取り外すことができる。屈曲可能なクリップは、アクセス開口３０にプラグを取外し可能に取り付けるいくつかの異なる方法のうちの一つを表す。
【００１１】
グレードレベルボックスのより詳細な特徴、すなわちその分割カバープレート及び取外し可能なプラグは米国特許第７３８５１３７号明細書に記述され、この明細書は参照によってその全てが本明細書の一部を構成する。
【００１２】
また、図３は、グレードレベルボックス上で蓋を閉じ且つロックするためのロックシステムの一つの実施形態を示す。示される実施形態では、Ｌボルト３９がロック位置とロック解除位置との間で回転せしめられ、このことは米国特許第７５４７０５１号明細書により詳細に記述され、この明細書は参照によってその全てが本明細書の一部を構成する。
【００１３】
図２に示される、シールされたファイバ配線エンクロージャユニット２２は、プラグ３２が取り外されると、分割カバープレートのアクセス開口３０内にマウントされる。図５Ａ及び図５Ｂを参照すると、シールされたファイバ配線エンクロージャユニット２２はエンクロージャの底部においてベースフレーム組立体４１を含む。ベースフレーム組立体４１は、プラグ開口３０に取外し可能に取り付けられる硬質の下方ベースフレーム部分４２を含む。下方ベースフレーム部分は、フレームを通って延びる円形の中心開口４４を含み、円形の中心開口４４は様々な開口のうちの一つの実施形態である（開口４４は本明細書においてケーブル開口とも称される）。下方ベースフレーム部分の両端部上の屈曲可能なクリップ４６、４８は、分割カバープレート内のプラグ開口３０内にベースフレーム部分４２をスナップロックするようになっている。下方ベースフレーム部分は、図２において最もよく示されるように、下方ベースフレーム部分４２内の中心開口４４を通したグレードレベルボックスの内部へのアクセスを提供しつつグレードレベルボックスの上にエンクロージャを配置するために、シールされたファイバ配線エンクロージャシステム２２を部分的に支持する。屈曲可能なクリップ４６、４８は、ベースフレーム４２をプラグ開口３０に取外し可能に取り付ける様々な方法のうちの一つの実施形態である。他の様々な取付手段は例えばボルト又はラッチを含む。
【００１４】
使用時に、図５Ａに示される実施形態の下方ベースフレーム部分４２は、プラグ開口の対応する外形のノッチ領域３４、３６に屈曲可能なクリップ４６、４８を整列させた後、下方ベースフレーム部分４２をプラグ開口３０内に単純に押し込むことによってプラグ開口３０内にスナップロックされるようになっている。ベースフレーム組立体４１は、分割カバープレートに元来取り付けられたプラグを取り外すのと同様の態様でプラグ開口内のロック位置からクリップ（又は他の取付手段）を取り外すことによって、完全にシールされたファイバ配線エンクロージャユニット２２と共にプラグ開口から取り外されることができる。
【００１５】
ベースフレーム組立体４１は、下方ベースフレーム部分４２内の開口４４に固着された硬質の下方ベースリング５４も含む（下方ベースリング５４は、本明細書において地上の下方ベース構造体と称される組立体の一部である）。図２において最もよく示されるように、シールされたファイバ配線エンクロージャユニット２２は、硬質の下方ベースリング５４に取外し可能に繋止された外側カバー５０を含み、硬質の下方ベースリング５４は下方ベースフレーム部分４２内の地表面よりも上に配置される。Ｏリング及び外側カバークランプ組立体５６が、カバー５０の底部を下方ベースリング５４に水密シールで解放可能に繋止する。下方ベースリングが、リング５４の面に取外し可能に繋止された丸みを帯びたアクセス扉５８も含むので、グレードレベルボックスの内部と、シールされたファイバ配線エンクロージャユニット２２とは、扉を取り外し又は開くことによって（地上から）アクセスされることができる。ファイバ配線エンクロージャユニット２２が分割カバープレート内に配置されると、アクセス扉５８はアクセス可能であり且つ地表面よりも上に配置される。ベースフレーム内の開口を通したグレードレベルボックスの内部へのアクセスを得るべく、専用のロックが扉を開くために使用される。
【００１６】
図６及び図７は、シールされたファイバ配線エンクロージャユニット２２内に収容されたファイバ配線エンクロージャ組立体６０の構成要素を示す。図６は、ベースリング５４上のアクセス扉５８がその閉位置にある状態の組立体を示す。図７は、扉がその開位置へ移動せしめられた状態で、グレードレベルボックスの内部及びファイバ配線エンクロージャ組立体へのアクセスを如何に得ることができるかを示す。
【００１７】
下方ベースリング５４及び下方ベースフレーム部分４２は、好ましくは、プラスチック成形技術によって別々に作られ、その後、ベースフレーム組立体４１の下方部分の構成要素を形成すべく互いに固着される。下方ベースリング５４は、下方ベースフレーム部分内の開口にベースリングを接着接合することを含む様々な技術によってベースフレーム４２内のケーブル開口４４に固着されることができる。機械的な締結具若しくはボルト、係合のスナップロック手段、又は熱収縮を使用するような他の取付手段を使用することができる。グラウト（grouting）のような外部の接着型シールを使用することもできる。
【００１８】
図６〜図９は、シールされた台座型エンクロージャの内側に収容されたファイバ配線エンクロージャ組立体６０を示し、ファイバ配線エンクロージャ組立体６０は、カバー５０のベースにおいてＯリングクランプ５６を取り外し且つ内部組立体の上で外側カバー５０を摺動させて外すことによって露出された。
【００１９】
ファイバ配線エンクロージャ組立体６０は地上において下方ベースフレーム組立体の一部の上に支持され、下方ベースフレーム組立体はベースプレート６２を含み、ベースプレート６２はエンクロージャの内部をグレードレベルボックスの内部から隔てる。図５Ｂに最もよく示されるベースプレート６２はベースリング５４の上部の内側の支持リムに固着される（下方ベースリング５４及びそのベースプレート６２は、本明細書において地上の下方ベース構造体と称される組立体の一部である）。ベースプレート６２は、メインケーブル及び別個の光ファイバケーブルをベースプレートを通してファイバ配線組立体へ通すのに使用されるシールされた穴を含む。一つの実施形態では、ベースプレート６２は、一対のメインケーブルをシールするための３．８ｃｍ（１．５インチ）の８の字形状の穴と、３．８ｃｍ（１．５インチ）の円形の二つのグロメット穴と、塞がれる１．９ｃｍ（０．７５インチ）の１６個のグロメット穴とにおいてグロメット６３を含むことができる。プラグは穴から取外し可能である。
【００２０】
下方ベースリング５４は、上向きに面する環状の外側リム６５も含み、外側リム６５は、カバーがクランプされてベースフレーム組立体に対してシールされると、外側カバー５０の丸みを帯びた底部に嵌まる。
【００２１】
ファイバ配線組立体は鋳造のプラスチックソケット６８を含み、鋳造のプラスチックソケット６８は硬質の直立支持棒６４を支持するためにベースプレート６２に固着される。バックプレート６６が支持棒６４に固着される。様々な支持構造体が、ベースプレート内の穴を通過するケーブルのために使用されることができ、ベースプレートは、グレードレベルボックスの内部から配線組立体をシールするプラグを収容する。
【００２２】
複数のファイバ・スプライス・トレイ７０がバックプレートにマウントされる。ファイバ・スプライス・トレイは、ネットワークを管理すべく任意の様々な装置を具備することができ、且つ、光ネットワークを容易にする手段を提供するように開かれることができる。
【００２３】
ファイバ配線エンクロージャ組立体６０の内部は、ケーブル支持体と、アース棒と、グレードレベルボックス、ファイバ・スプライス・トレイ、又はスプライス接続を形成するための若しくはエンクロージャの内部における修正のための他の手段の中に収容されたユーティリティケーブル間の所要の接続を形成することを容易にするその他のアイテムを含むこともできる。
【００２４】
使用時に、図１０において最もよく示されるように、シールされたファイバ配線エンクロージャユニット２２は、アクティブケーブルが乱されない状態で、グレードレベルボックスのカバープレート２６からユニットとして取り外されることができる。グレードレベルボックス内のプラグ開口３０からシールされたユニットとして取り外されたエンクロージャが所定の位置において示される。一対のメイン光ファイバ配線ケーブル７１が、地上のシールされたファイバ配線エンクロージャユニットにグレードレベルボックスの内側から持ってこられる。これらメイン光ファイバ配線ケーブルは、グレードレベルボックスの内側に巻かれた地下の長いメイン光ファイバ配線ケーブルから採られることができる。シールされたファイバ配線エンクロージャユニットは、例えば分岐ケーブルをシールするための（シールされたプラグ７２と共に示される）中間サイズの穴も収容する。分岐ケーブルは明瞭化のために図１０に示されない。加えて、下方ベースプレート６２内に収容された複数の組の小さな穴及びプラグ７３（図５Ｂ参照）は、（明瞭化のために示されない）光ファイバ延長コード、又は地上のシールされたユニットに地下から持ってこられた他のより小さな直径の光ファイバケーブルのためのシールされた通路を提供する。
【００２５】
シールされたファイバ配線エンクロージャユニットは、特別なトレーラー若しくはバン又は他の設備のような遠隔の作業場に持ち込まれることができ、ここで、ファイバスプライスが、ファイバ・スプライス・トレイ７０内に収容された任意の様々な構成要素に対して形成されることができる。遠隔の作業場は、ファイバスプライス接続の質を高めることができる作業環境を提供する。これは低い湿度のクリーン環境を含むことができ、ここでは、ファイバスプライスが、光ファイバケーブルの注意深い取扱いも必要とするガラス溶解処理技術によって形成されることができる。
【００２６】
遠隔の作業場におけるファイバスプライシング又は修正に続いて、ファイバ・スプライス・トレイを閉じてシールすることができ、その後、アクティブケーブルが乱されない状態で、ファイバ配線エンクロージャ組立体をユニットとしてグレードレベルボックスに戻してもよく、ここでは、エンクロージャの下方ベースフレーム組立体をカバープレート内のプラグ開口内に再設置することができる。一つの実施形態では、カバープレート内のプラグ開口における設置のために、ファイバ配線エンクロージャ組立体及びベースフレーム組立体を、シールされたユニットとして戻すことができる。
【００２７】
図１１は一方の分割カバープレートの下側を示し、一方の分割カバープレートはボルト作動のセルフラッチングロック組立体７４を含み、ボルト作動のセルフラッチングロック組立体７４はグレードレベルボックスの頂部に対してカバープレートを確実に閉じるために使用されることができる。セルフラッチングロック組立体は摺動部材７５を含み、摺動部材は、蓋又はカバープレートが、グレードレベルボックス内の開口の上で、例えば足圧によって下に強いられると、グレードレベルボックスの内側の上の当接部と係合する。蓋への下向きの力によって、ラッチ７６は、バネの付勢に対して引っ込み、その後、ロック位置にスナップロックされるようになる。グレードレベルボックスから蓋を取り外すために特別な工具で蓋の外側からラッチにアクセスすることができる。本発明のために使用することができる様々なラッチング装置のうちの一つであるセルフラッチングロック機構の更なる詳細は、２００９年２月１７日に出願された米国特許出願第１２／３７２６５４号明細書において記述され、この明細書は、その全部が参照によって本明細書の一部を構成する。
【図１】
2013525844.tif 000003
【図２】
2013525844.tif 000004
【図３】
2013525844.tif 000005
【図４】
2013525844.tif 000006
【図５Ａ】
2013525844.tif 000007
【図５Ｂ】
2013525844.tif 000008
【図６】
2013525844.tif 000009
【図７】
2013525844.tif 000010
【図８】
2013525844.tif 000011
【図９】
2013525844.tif 000012
【図１０】
2013525844.tif 000013
【図１１】
2013525844.tif 000014
【国際調査報告】
2013525844.tif 000015
2013525844.tif 000016
2013525844.tif 000017